(57)【特許請求の範囲】
【請求項１】
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記動作制御要素は、
ｂ）動作選択メニューの複数の動作識別要素、及び
ｃ）項目選択メニューの複数の項目識別要素
のうちの少なくとも１つを含む
測定機器。
【請求項２】
請求項１に記載の測定機器であって、
前記動作制御要素は、
ａ）画面構成をそれぞれ有するユーザインタフェース画面
をさらに含む
測定機器。
【請求項３】
請求項１又は２に記載の測定機器であって、
前記動作制御要素のアクションは、動作制御要素を選択する選択アクションを含み、
前記選択アクションは、
ａ）画面構成をそれぞれ有するユーザインタフェース画面の選択又は切り替え、
ｂ）動作選択メニューの動作識別要素の選択、及び
ｃ）項目選択メニューの項目識別要素の選択
のうちの少なくとも１つを含む
測定機器。
【請求項４】
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記動作制御要素のアクションは、動作制御要素を選択する選択アクションを含み、
前記選択アクションは、ｂ）動作選択メニューの動作識別要素の選択を含み、
当該ｂ）動作選択メニューの動作識別要素の選択において、前記変位センサの前記変位量の変化に応じて、選択インジケータが前記動作選択メニューの動作識別要素にわたって移動する
測定機器。
【請求項５】
請求項４に記載の測定機器であって、
当該測定機器は、小型ノギスであり、
前記選択インジケータの移動において、前記変位センサの前記変位量の０．５ｍｍ以上の変化に応じて、第１の動作識別要素から第２の動作識別要素へ前記選択インジケータが移動する
測定機器。
【請求項６】
請求項５に記載の測定機器であって、
前記選択インジケータの移動において、前記変位センサの前記変位量の５ｍｍ以下の変化に応じて、前記第１の動作識別要素から前記第２の動作識別要素へ前記選択インジケータが移動する
測定機器。
【請求項７】
請求項４に記載の測定機器であって、
当該測定機器は、回転式シンブルによって作動される小型マイクロメータであり、
前記選択インジケータの移動において、１０度以上１００度以下のシンブルの回転に対応する前記変位センサの前記変位量の変化に応じて、第１の動作識別要素から第２の動作識別要素へ前記選択インジケータが移動する
測定機器。
【請求項８】
請求項３乃至７の何れか一項に記載の測定機器であって、
前記ユーザインタフェースは、少なくとも第１の選択実行要素をさらに有し、
当該第１の選択実行要素は、前記ユーザによって操作されると、前記選択アクションによって選択された前記動作制御要素に関係付けられた各動作を実行させる
測定機器。
【請求項９】
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記動作制御要素のアクションは、動作制御要素を選択する選択アクションを含み、
前記ユーザインタフェースは、少なくとも第１の選択実行要素をさらに有し、
当該第１の選択実行要素は、前記ユーザによって操作されると、前記選択アクションによって選択された前記動作制御要素に関係付けられた各動作を実行させ、
前記選択アクションは、ａ）画面構成をそれぞれ有するユーザインタフェース画面の選択又は切り替えを含み、
当該ａ）画面構成をそれぞれ有するユーザインタフェース画面の選択又は切り替えにおいて、前記変位センサの前記変位の変化に応じて、自動的に、前記ディスプレイのユーザインタフェース画面を切り替えるか又はスクロールし、
前記ユーザインタフェースは、前記第１の選択実行要素が前記ユーザによって操作された場合、表示中のユーザインタフェース画面に関係付けられた動作を実行するように構成され、
当該動作において、前記変位センサの前記変位がさらに変化すると、動作制御要素のアクションを変更させ、当該動作制御要素のアクションは、前記表示中のユーザインタフェース画面より機能的に下位である従属の動作制御要素に割り当てられている
測定機器。
【請求項１０】
請求項８又は９に記載の測定機器であって、
前記第１の選択実行要素は、第１のボタンを有し、
当該第１のボタンは、ユーザによって手動で操作されると、前記選択アクションによって選択された前記動作制御要素に関係付けられた各動作を実行させる
測定機器。
【請求項１１】
請求項１乃至９の何れか一項に記載の測定機器であって、
前記ユーザインタフェースは、第１のボタンを有し、
当該第１のボタンは、ユーザによって手動で操作されると、当該測定機器が前記第１のユーザインタフェースモードである場合、前記第２のユーザインタフェースモードに切り替える
測定機器。
【請求項１２】
測定機器であって、
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記ユーザインタフェースは、第１のボタンを有し、
当該第１のボタンは、ユーザによって手動で操作されると、当該測定機器が前記第１のユーザインタフェースモードである場合、前記第２のユーザインタフェースモードに切り替え、
当該測定機器が前記第２のユーザインタフェースモードである場合、前記第１のボタンは、ユーザによって手動で操作されると、前記ユーザインタフェースにおける選択インジケータによって示される選択中の動作制御要素に関係付けられた各動作を実行させる
測定機器。
【請求項１３】
請求項１１又は１２に記載の測定機器であって、
前記ユーザインタフェースは、第２のボタンを有し、
前記第２のボタンは、ユーザによって手動で操作されると、当該測定機器が前記第２のユーザインタフェースモードである場合、前記第１のユーザインタフェースモードに切り替える
測定機器。
【請求項１４】
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記第２のユーザインタフェースモードは、前記第１のユーザインタフェースモードから前記第２のユーザインタフェースモードに切り替えられたときに表示される第１のユーザインタフェース画面と、前記変位センサのさらなる変位に呼応した当該第１の各ユーザインタフェースの挙動とが、前記変位センサの測定範囲内の少なくとも大半の位置であれば、前記第１のユーザインタフェースモードから前記第２のユーザインタフェースモードに切り換わったときの前記変位センサの位置に影響されないように構成される
測定機器。
【請求項１５】
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記第２のユーザインタフェースモードでは、少なくとも１つの特定の動作制御要素のアクションを前記ユーザインタフェース上で表示し、前記動作制御要素のアクションは、前記変位センサの前記変位の前記変化によって生じる速度、変位距離、変位終了位置又は正方向及び逆方向への変位パターンが予め設定された特定値に達したときに実行されるか又はこれに応じて変化する
測定機器。
【請求項１６】
請求項１乃至１５の何れか一項に記載の測定機器であって、
前記ディスプレイは、非タッチセンサ式ディスプレイである
測定機器。
【請求項１７】
請求項１乃至１５の何れか一項に記載の測定機器であって、
前記ディスプレイは、
前記表示される動作制御要素を構成するように制御されるアドレス指定可能な画素配列を有するディスプレイ、及び
前記表示される動作制御要素を構成する予め作成された動作制御要素パターンの固定されたセットを有する液晶ディスプレイ
のうちの一方を有する
測定機器。
【請求項１８】
請求項１乃至１７の何れか一項に記載の測定機器であって、
前記動作制御要素は、以下の動作に関係付けられたユーザインタフェース機能を有する：
ａ）当該測定機器における複数の測定値を記憶する動作、
ｂ）当該測定機器に記憶された複数の測定値を呼び出し又は表示することを含む動作、
ｃ）動作制御要素によって定義される計算の結果を前記ユーザインタフェースに表示することを含み、現在の測定値に基づいて決定される動作、
ｄ）当該測定機器のために無線データ送受信を実行することを含む動作、又は
ｅ）当該測定機器の動作を管理するデフォルト設定を変更することを含む動作
測定機器。
【請求項１９】
請求項１乃至４、９、１２、１４及び１５の何れか一項に記載の測定機器であって、
当該測定機器は、小型ノギス及び小型マイクロメータのいずれか一方である
測定機器。
【請求項２０】
ユーザにより手動で制御されて、測定軸に沿って相対変位可能である読取ヘッド及びスケールを有する変位センサと、
前記読取ヘッドに接続されるディスプレイと、
前記変位センサ及び前記ディスプレイに接続される信号処理／制御部と、
前記信号処理／制御部によって制御されるとともに前記ディスプレイに表示されるユーザインタフェースであって、前記ディスプレイに表示される変位測定値及び動作制御要素を含むユーザインタフェース機能を有するユーザインタフェースと
を具備し、
前記ユーザインタフェースは、第１のユーザインタフェースモードと、第２のユーザインタフェースモードとを有し、
前記第１のユーザインタフェースモードにおいて、前記ユーザインタフェースは、前記変位測定値を表示し、前記変位測定値は、前記変位センサの変位量の変化に応じて変化し、
前記第２のユーザインタフェースモードにおいて、前記ユーザインタフェースは、前記動作制御要素を表示し、前記ユーザインタフェース上で表示される動作制御要素のアクションは、前記変位センサの前記変位量の変化に応じて変化し、
前記変位センサの前記変位量の変化に呼応する前記ユーザインタフェース上で表示される前記動作制御要素のアクションは、ユーザインタフェースフォーカスを、前記ユーザインタフェースに含まれる複数の動作制御要素間で移動させるユーザインタフェースナビゲーションアクションを含む
測定機器。
【発明の詳細な説明】
【技術分野】
【０００１】
本発明は概して、電子ノギス、マイクロメータ、又は同様の寸法測定機器や角度測定機器等の測定機器に関する。
【背景技術】
【０００２】
現在、様々な小型測定機器を利用することができる。小型測定機器の一例として、電子ノギス等の変位量測定機器がある。これを用いれば、対象物の各寸法を正確に測定することができる（例えば、機械加工された部位を測定し、公差基準値の範囲内であるか確かめる）。同一出願人による特許文献１〜特許文献４には、典型的な電子ノギスが開示される。
【０００３】
係る測定機器、とりわけ市販の電子ノギス及びマイクロメータは、ほとんど必需品となっている。そのため、ユーザが制御する機能等の構成部品、これらの機能を起動するためのボタンの個数及び間隔、並びに電子筐体(electronic housing)及びディスプレイの寸法は、構造上の幅が少ない。これらの構成の製造可能性、コスト、機能、及び人間工学的要素は、係る機器の大多数の製造者やユーザの期待や要求に沿うものである。したがって、製造者やユーザは、たとえわずかであっても、ボタンの個数を増やしたり、人間工学的に問題となるような、ボタンの間隔を狭めたり、電子筐体を大型化したりといった、望ましくない効果をもたらすおそれのある設計変更を望まない。これに関して、ボタン制御式メニューを提示する構成が商業化されたことがある。しかし、この構成には、操作が面倒になる（ボタンを何度も押さなければならないため）、加えて／あるいは、ボタンの耐用寿命が低下するという問題がある。このような問題を解決するために、電話機（同じような問題がある）ではタッチスクリーンを用いているが、一部の消費者間では価格又は信頼性の面から不評である。
【先行技術文献】
【特許文献】
【０００４】
【特許文献１】米国再発行特許第３７４９０号
【特許文献２】米国登録特許第５５７４３８１号
【特許文献３】米国登録特許第５９７３４９４号
【特許文献４】米国登録特許第８７４５１０８号
【特許文献５】米国登録特許第４８７９５０８号
【特許文献６】米国登録特許第５０２３５５９号
【特許文献７】米国登録特許第５８４１２７４号
【特許文献８】米国登録特許第５８９４６７８号
【特許文献９】米国登録特許第５９７３４９４号
【特許文献１０】米国登録特許第６００２２５０号
【特許文献１１】米国登録特許第６０１１３８９号
【特許文献１２】米国登録特許第５８８６５１９号
【発明の概要】
【発明が解決しようとする課題】
【０００５】
以上のような事情に鑑み、本発明の目的は、ユーザが制御可能な機能を測定機器に追加するとともに、測定機器のサイズ、機械的複雑さ及びコストの増加を抑えながらも、係る機能に直感的且つ迅速にアクセス可能とすることにある。
【課題を解決するための手段】
【０００６】
この「課題を解決するための手段」では、以下の「発明を実施するための形態」に詳細に記載された各構想のなかから選択した構想を単純化したものを紹介する。この「課題を解決するための手段」は、「特許請求の範囲」の内容の重要な特徴を特定するためのものではなく、「特許請求の範囲」の範囲を特定するのに用いられるものでもない。
【０００７】
測定機器は、変位センサによって検出される変位量の変化に呼応するユーザインタフェースを備える。種々の実装形態では、この測定機器（例えば、小型ノギス又はマイクロメータ）は、変位センサと、ディスプレイと、信号処理／制御部と、ユーザインタフェースとを有する。変位センサは、ユーザにより手動で制御されて、測定軸に沿って相対変位可能である読取ヘッド及びスケールを有する。ディスプレイは、読取ヘッドに接続される。信号処理／制御部は、変位センサ及びディスプレイに接続される。ユーザインタフェースは、信号処理／制御部によって制御され、ディスプレイに表示される。ユーザインタフェースは、変位測定値及び動作制御要素を含むユーザインタフェース機能を有する。
【０００８】
種々の実装形態では、ユーザインタフェースは、第１のユーザインタフェースモードと、第２のユーザインタフェースモードとを有してもよい。第１のユーザインタフェースモードにおいて、ユーザインタフェースは、変位測定値を表示し、変位測定値は、変位センサの変位量の変化に呼応して変化する。第２のユーザインタフェースモードにおいて、ユーザインタフェースは、動作制御要素を表示する。ユーザインタフェース上で表示される動作制御要素のアクションは、変位センサの変位量の変化に呼応して変化する。
【０００９】
種々の実装形態では、動作制御要素は、例えば、１つ又は複数のユーザインタフェース画面及び／又は動作識別要素及び／又は項目識別要素（例えば、ユーザインタフェース画面の識別要素）を含んでもよい。ユーザインタフェース画面はそれぞれ、画面構成を有してもよい。動作識別要素はそれぞれ、動作選択メニューの複数の動作識別要素を含んでもよい。項目識別要素はそれぞれ、項目選択メニューの複数の項目識別要素を含んでもよい。
【００１０】
種々の実装形態では、動作制御要素のアクションは、動作制御要素を選択する選択アクションを含んでもよい。選択アクションは、画面構成をそれぞれ有するユーザインタフェース画面の選択又は切り替え、動作選択メニューの動作識別要素の選択、及び項目選択メニューの項目識別要素の選択のうちの少なくとも１つを含んでもよい。一例として、動作識別要素の選択において、変位センサの変位量の変化に応じて、選択インジケータが動作選択メニューの動作識別要素にわたって移動してもよい。種々の実装形態では、ユーザインタフェースは、選択実行要素（例えば、ボタン）をさらに有してもよい。この選択実行要素（例えば、ボタン）は、ユーザによって手動で操作されると、選択アクションによって選択された動作制御要素に関係付けられた動作を実行させる。
【００１１】
種々の実装形態では、測定機器は、小型ノギスであり、選択インジケータの移動において、前記変位センサの前記変位量の変化に応じて、第１の動作識別要素から第２の動作識別要素へ前記選択インジケータが移動してもよい。種々の実装形態では、ユーザインタフェースは、１つ又は複数のボタンをさらに有してもよい。１つ又は複数のボタンは、ユーザによって手動で操作されると、第１のユーザインタフェースモードと第２のユーザインタフェースモードとを切り替える。種々の実装形態では、前記変位センサの前記変位量の変化に呼応する前記ユーザインタフェース上で表示される前記動作制御要素のアクションは、ユーザインタフェースフォーカスを、前記ユーザインタフェースに含まれる複数の動作制御要素間で移動させるユーザインタフェースナビゲーションアクションを含む。
【発明の効果】
【００１２】
本発明によれば、ユーザが制御可能な機能を測定機器に追加するとともに、測定機器のサイズ、機械的複雑さ及びコストの増加を抑えながらも、係る機能に直感的且つ迅速にアクセス可能とすることが可能である。
【図面の簡単な説明】
【００１３】
【図１】従来の測定機器を示す図である。
【図２】変位センサとディスプレイとを備える測定機器を示す図であり、当該ディスプレイが、第１の例示的な実施形態に係る第１のユーザインタフェースモードを表示している。
【図３】図２の測定機器を示す図であり、上記ディスプレイが、第１の例示的な実施形態に係る第２のユーザインタフェースモードを表示している。
【図４】図３の測定機器を示す図であり、上記ディスプレイが、選択インジケータが変位センサの移動に呼応して後続の動作識別要素へ移動した状態を表示している。
【図５】図４の測定機器を示す図であり、上記ディスプレイが、選択された動作識別要素が選択実行要素の動作に呼応して起動された状態を表示している。
【図６】測定機器の各機能部を示すブロック図である。
【図７】図２の測定機器を示す図であり、上記ディスプレイが、第２の例示的な実施形態に係る第２のユーザインタフェースモードを表示している。
【図８】図７の測定機器を示す図であり、上記ディスプレイが、変位センサの移動に呼応したスクロール動作の結果として、後続の動作識別要素に関する後続のユーザインタフェース画面を表示している。
【図９】図８の測定機器を示す図であり、上記ディスプレイが、変位センサの移動を含む一連の後続動作に呼応したさらなるスクロール動作の結果として、後続の動作識別要素に関する後続のユーザインタフェース画面を表示している。
【図１０】ディスプレイを備える測定機器を示す図であり、当該ディスプレイが、第３の例示的な実施形態に係る第２のユーザインタフェースモードを表示している。
【図１１】図１０の測定機器を示す図であり、上記ディスプレイが、選択インジケータが変位センサの移動に呼応して後続の動作識別要素へ移動した状態を表示している。
【発明を実施するための形態】
【００１４】
図１は、従来の測定機器１００の一部を示す図である。この測定機器１００と一部同様の特徴を有する同様の従来の測定機器が、特許文献４にさらに詳細に記載されている。図１に示すように、測定機器１００は、読取ヘッド１０１ａとスケール１０１ｂとを備える変位センサ１０１を有する。スケール１０１ｂは、スケール部材２０７に支持される。スケール部材２０７は、従来の電子ノギスのスケール部材であってもよい。つまり、スケール部材２０７は、ジョウ部２１７及び２１７'並びに本尺部２３０を備える。図１では、スケール１０１ｂは、本尺部２３０に支持されており、その一部を露出した状態で示す。読取ヘッド１０１ａは、読取ヘッド部材２０８に支持される。読取ヘッド部材２０８は、従来の電子ノギスの読取ヘッド部材であってもよい。つまり、読取ヘッド部材２０８は、ジョウ部２１８及び２１８'と、読取ヘッド部材２０８を本尺部２３０に沿って位置合わせしてガイドするガイド・装着部（図示せず）とを備える。
【００１５】
図１に示す実施形態では、読取ヘッド部材２０８は、ディスプレイ１０４と、電源１０３（読取ヘッド部材２０８に内蔵されており、外形を点線で示す）と、ボタン１０５及び１０６とを有する。従来のノギスと同様に、ボタン１０５は、測定値の「原点」を設定する機能を有し、ボタン１０６は、「ｉｎ／ｍｍ」の測定単位を選択する機能を有する。この測定単位は、ディスプレイ１０４上に測定単位インジケータ１０６ａ１として表示されている。測定単位インジケータ１０６ａ１は、インチを意味する「ｉｎｃｈ」及びミリメートルを意味する「ｍｍ」といった従来の測定単位インジケータを示すことができる。
【００１６】
従来のノギスに関して公知であるが、測定動作時には、読取ヘッド部材２０８が移動することで、測定ジョウ２１８又は２１８'が、測定ジョウ２１７又は２１７'とともに測定対象物ＷＰの測定対象部位に接触する。この時、スケール１０１ｂに対する読取ヘッド１０１ａの変位が、読取ヘッド部材２０８の信号処理／制御部（図示せず）によって測定信号として検出される。検出された測定信号は、処理され、表示測定値ＤＭＶ（例えば、図１の例では、１．５０２５インチ（約３．８１６ｃｍ））としてディスプレイ１０４に表示される。
【００１７】
図２は、ディスプレイ２０４を備える測定機器２００を示す図である。ディスプレイ２０４は、ユーザインタフェース２５０を有する。このユーザインタフェース２５０は、第１の例示的な実施形態に係る第１のユーザインタフェースモード２４１を示している。測定機器２００の一部の構成要素は、図１の測定機器１００と同様であり、以下で別途記載がない限り、同様に動作するものと解釈されることを理解されたい。種々の実装形態では、測定機器２００は、小型ノギス等、コンパクトで携帯可能な測定機器としてもよい。図２に示すように、測定機器２００は、変位センサ２０１を有する。変位センサ２０１は、読取ヘッド２０１ａと、スケール２０１ｂとを備える。これらの読取ヘッド２０１ａ及びスケール２０１ｂは、ユーザにより手動で制御されて、測定軸に沿って相対変位可能である。ディスプレイ２０４は、読取ヘッド２０１ａに接続される。読取ヘッド２０１ａは、ジョウ部２１８及び２１８'を有する読取ヘッド部材２０８に支持される。スケール２０１ｂは、ジョウ部２１７及び２１７'並びに本尺部２３０を有するスケール部材２０７に支持される。後で図６を参照してより詳細に説明するが、変位センサ２０１及びディスプレイ２０４に信号処理／制御部が接続される。ユーザインタフェース２５０は、この信号処理／制御部によって制御される。電源２０３（例えば、読取ヘッド部材２０８に内蔵されており、外形を点線で示す）が設けられる。この電源２０３を用いて、測定機器２００への給電を行う。
【００１８】
後でより詳細に説明するが、種々の実装形態では、ユーザインタフェース２５０は、第１のユーザインタフェースモードと、第２のユーザインタフェースモードとを有する。第１のユーザインタフェースモード（例えば、図２に示す）では、変位測定値ＤＭＶが表示される。変位測定値ＤＭＶは、変位センサ２０１の変位量の変化に応じて変化する。第２のユーザインタフェースモード（例えば、後で図３を参照してより詳細に説明する）では、ユーザインタフェース２５０に動作制御要素が表示される。変位センサ２０１の変位量の変化に応じて、動作制御要素のアクション（action）（例えば、ユーザインタフェース２５０上に表示される選択インジケータの位置を変更する（affect））が実行される。
【００１９】
図２に示すように、第１のユーザインタフェースモード２４１では、ユーザインタフェース２５０は、ユーザインタフェース画面２５１を表示している。ユーザインタフェース画面２５１は、表示測定値ＤＭＶと、ボタンアクションインジケータ２０６ａ及び２０６ｂと、長押しボタンインジケータ２０６ｃと、測定単位インジケータ２０６ａ１とを含む。測定機器２００が第１のユーザインタフェースモード２４１である間、ユーザは、ボタン２０６を手動で操作することができ、ボタンアクションインジケータ２０６ａ及び２０６ｂにそれぞれ関係付けられた動作を実行させる。図２の例では、ボタンアクションインジケータ２０６ａは、ボタン２０６の典型的な短押し操作（例えば、１秒未満で指を離す）に関係付けられている。ボタン２０６の短押し操作によって、図１のボタン１０６の機能と同様に、測定単位の表示がインチ又はミリメートル（すなわち、ｉｎ／ｍｍ）に切り替わる。図２に示すように、測定単位インジケータ２０６ａ１は、ボタン２０６の短押し操作によって選択された測定単位（例えば、「インチ」）を示す。ボタンアクションインジケータ２０６ｂは、ボタン２０６の長押し操作（例えば、１秒より長い）に関係付けられている。ボタン２０６の長押し操作は、一実装形態では、図１のボタン１０５の機能と同様に、次回の測定動作のための標準的なノギスの「原点合わせ」機能（例えば、ノギスのジョウの現在位置を「ゼロ点」として設定する機能）に相当する。長押しボタンインジケータ２０６ｃ（例えば、ボタンアクションインジケータ２０６ｂの「原点」という標記（label）の下の点線として示す）は、この原点合わせアクションが、ボタン２０６の長押し操作（例えば、１秒より長い）によって実行されることを示す。
【００２０】
第１のユーザインタフェースモード２４１の間、表示測定値ＤＭＶは、図１を参照して上述した測定機器１００の動作と同様に、変位センサ２０１の変位量の変化（すなわち、スケール２０１ｂに対する読取ヘッド２０１ａの相対変位量の変化）に応じて変化する。後でより詳細に説明するが、種々の実装形態では、ボタン２０５及び２０６は、第１のユーザインタフェースモードと第２のユーザインタフェースモードとの切替えに用いられる。後で図３を参照してより詳細に説明するが、第１のユーザインタフェースモードと第２のユーザインタフェースモードとの切替えに関して、測定機器が第１のユーザインタフェースモード２４１である場合、ユーザは、ボタン２０５（すなわち、「メニュー」という標記）を手動で操作することができ、第２のユーザインタフェースモードに切り替える。また、測定機器が第２のユーザインタフェースモードである場合、ユーザは、ボタン２０６（すなわち、「測定」という標記）を手動で操作することができ、第１のユーザインタフェースモード２４１に切り替える。
【００２１】
図３は、図２の小型測定機器２００を示す図である。ディスプレイ２０４が、第１の例示的な実施形態に係る第２のユーザインタフェースモード２４２を示している。上述のように、一実装形態では、ユーザは、ボタン２０５を操作することができ、図２の第１のユーザインタフェースモード２４１から図３の第２のユーザインタフェースモード２４２に切り替える。図３に示すように、第２のユーザインタフェースモード２４２では、ユーザインタフェース２５０は、ユーザインタフェース画面２５２を表示する。ユーザインタフェース画面２５２は、レベルインジケータ３１０と、動作識別要素（identifier）３１１〜３１５が並ぶ動作選択メニューＯＳＭと、ボタンアクションインジケータ３０６及び３０８と、長押しボタンインジケータ３０９と、方向インジケータ列３１９と、選択インジケータ３３０とを含む。
【００２２】
一実装形態では、小型測定機器２００のディスプレイ２０４は、アドレス指定可能な画素配列を有する。このアドレス指定可能な画素配列は、表示される動作制御要素（例えば、動作識別要素３１１〜３１５）と、インジケータ要素３０６、３０８、３０９、３１０及び３３０とを構成するように制御される。別の実装形態では、後で図１０を参照してより詳細に説明するが、ディスプレイは、液晶ディスプレイとしてもよい。この場合、液晶ディスプレイは、表示される動作制御要素及び／又はインジケータ要素を構成するように予め作成されて固定された動作制御要素パターンのセットを有する。一実装形態では、ディスプレイ２０４は、タッチセンサ式でなくてもよい。
【００２３】
種々の実装形態では、図示の動作識別要素３１１〜３１５は、より一般的に称すれば、動作制御要素の一種である。後でより詳細に説明するが、他の実装形態では、他のタイプの動作制御要素は、各動作制御要素に特有のユーザインタフェース画面、各動作制御要素に特有の項目識別要素等を有してもよい。動作識別要素３１１〜３１５はそれぞれ、特定の動作識別要素の機能を示す標記に対応する。例えば、動作識別要素３１１は、現在の測定値に基づいて計算を行う動作に関する「演算測定値」という標記に対応する。具体的な例として、種々の実装形態では、演算測定値動作は、半径測定動作や面積測定動作等を含む。
【００２４】
動作識別要素３１２は、複数の測定値を測定機器に記憶する動作を示す「測定記録」という標記に対応する。従来のノギスは通常、複数の測定値を記憶又は検索する能力を有しないことを理解されたい。複数の測定値を記録することで、種々の実装形態では、これらの複数の測定値に付加的な処理（例えば、記憶した値の「平均」を求める等）を行うこともできる。
【００２５】
動作識別要素３１３は、ユーザによって起動される保持機能を実行する動作を示す「保持可能」という標記に対応する。この保持機能は、ディスプレイに表示中の測定値を「固定」すること、及び／又は保持機能の結果として測定機器に記憶された１つ又は複数の測定値の呼び出し又は表示を行うことを含むことができる。動作識別要素３１４は、測定機器の無線データ送受信を実行することを含む動作を示す「無線Ｉ／Ｏ」という標記に対応する。動作識別要素３１５は、測定機器２００の動作を管理するデフォルト設定を変更することを含む動作を示す「設定」という標記に対応する。
【００２６】
図３の例では、選択インジケータ３３０（例示的に囲み枠として示す）は、動作識別要素３１２（すなわち、「測定記録」）の選択に対応するものとして、図示の位置にある。後で図４を参照してより詳細に説明するが、変位センサ２０１の変位量（例えば、スケール２０１ｂに対する読取ヘッド２０１ａの移動）がさらに変化すると、選択インジケータ３３０が移動し、別の動作識別要素を選択する。なお、図３の例では、読取ヘッド２０１ａの位置は、ジョウ部２１８'の位置を基準として説明する。同図では、ジョウ部２１８'の位置は初期位置Ａとなっている。後で図４を参照してより詳細に説明するが、初期位置Ａは、「第２のモード開始」位置（すなわち、「ＭＴＥ」位置）として示す。この位置は、一例では、第２のユーザインタフェースモードを開始した場合且つ／又は他の機能がいくつか開始された（例えば、後で図９を参照してより詳細に説明する）場合の読取ヘッド２０１ａの位置に対応する。後で図４を参照してより詳細に説明するが、いくつかの実施形態では、選択インジケータ３３０を所与の動作識別要素３１１〜３１５まで移動させるためにユーザが読取ヘッド２０１ａをスケール２０１ｂに対して動かすべき方向が、方向インジケータ列３１９内の矢印記号によって示される。
【００２７】
測定機器２００が第２のユーザインタフェースモード２４２である間、ユーザは、ボタン２０５を手動で操作することができ、ボタンアクションインジケータ３０６及び３０８にそれぞれ関係付けられた動作を実行させる。図３の例では、ボタン２０５の典型的な短押し操作（例えば、１秒未満で指を離す）が、ボタンアクションインジケータ３０６に対応する。このボタンアクションインジケータ３０６は、（例えば、選択インジケータ３３０によって選択されている動作識別要素を起動するための選択アクションとして）「確定」機能に対応する。ボタンアクションインジケータ３０８は、ボタン２０５の長押し操作（例えば、１秒より長い）に対応する。ボタン２０５の長押し操作により、（例えば、ユーザは、１つ前のメニュー段やユーザインタフェース画面等に戻すことができる）「戻る」機能が実行される。長押しボタンインジケータ３０９（例えば、ボタンアクションインジケータ３０８の「戻る」という標記の下の点線として示される）は、ボタン２０５の長押し操作（例えば、１秒より長い）によって、この「戻る」機能のアクションが実行されることを示す。
【００２８】
種々の実装形態では、選択アクションは、ボタン２０５の押下ではなく他のタイプの起動入力（例えば、小型測定機器を振る又はタップする動作や、変位センサによる変位のジッターの検出等）によって実行してもよいし、ボタン２０５の押下とともに上記他のタイプの起動入力をすることによって実行してもよいことを理解されたい。種々の実装形態では、このような選択アクションを、上述の画面切り替えに利用するだけでなく、あるいは、上述の画面切り替えには利用せずに、予め設定された複数の選択肢の選択を切り替える（例えば、ユーザインタフェース入力用の英数字入力切り替えや数値変更等）のに利用してもよい。種々の実装形態では、第２のユーザインタフェースモードでは、少なくとも１つの特定の動作制御要素のアクションを、付加的に又は代替的に、ユーザインタフェース上で表示してもよい。この動作制御要素のアクションは、変位センサ２０１の変位量の変化によって生じる速度、変位距離、変位終了位置又は正方向及び逆方向への変位パターンが、予め設定された特定値に達したときに実行されるか又はこれに応じて変化する。
【００２９】
図４は、図３の小型測定機器２００を示す図である。同図において、変位センサ２０１が移動したことで、ユーザインタフェース２５０に表示される選択インジケータ３３０が、さらに移動している。図４に示すように、変位センサ２０１の読取ヘッド２０１ａの移動は、ジョウ２１８'の位置を基準とする（なお、図の簡略化のため、ジョウ２１８'だけ、移動前の位置を示すが、読取ヘッド部材２０８の他の構成要素も変位センサ２０１の移動に伴って移動していることを理解されたい）。ジョウ２１８'は、総変位量ＤＩＳＰＡ−Ｂの分だけ、位置Ａ（図３に示す位置に対応する）の初期ＭＴＥ位置（同図の「ＭＴＥ位置」）から図４に示す位置Ｂへ移動する。スケール２０１ｂに対する読取ヘッド２０１ａの移動は、信号処理／制御部によって検出される。これについては、後で図６を参照してより詳細に説明する。読取ヘッド２０１ａの移動が検出されると、選択インジケータ３３０は、動作識別要素３１２（すなわち、図３に示す位置）から動作識別要素３１３（すなわち、図４に示す位置）に移動する。
【００３０】
種々の実装形態では、変位センサ２０１の変位量の変化（例えば、スケール２０１ｂに対する読取ヘッド２０１ａの移動）が特定範囲（例えば、０．５ｍｍ〜５ｍｍ）内のとき、選択インジケータ３３０が、１つの動作識別要素から別の動作識別要素へ移動するようにしてもよい。図４の例では、変位距離ＤＩＳＰＡ−Ｂは、係る範囲内であるが、種々の実装形態では、一「表示変更増分（display changing increment）」以上としてもよい。なお、変位センサ２０１の移動方向は、選択インジケータ３３０を動作識別要素３１３へ移動するための図３の方向インジケータ列３１９内の矢印記号の方向に対応する。他の測定機器の場合、別の種類の移動を同様に検出して利用してもよい。例えば、代替的な一実装形態では、測定機器は、回転式シンブルによって作動される小型マイクロメータとしてもよい。この場合、選択インジケータの移動においては、変位センサの変位量の変化に応じて第１の動作識別要素から第２の動作識別要素へ当該選択インジケータが移動する。いくつかの係る実装形態では、シンブルの回転変位量の変化が人間工学上好ましい値（１０度以上１００度以下）のとき、選択インジケータが移動する。
【００３１】
種々の実装形態では、図３及び図４に示す動作識別要素を選択するアクションは一般的に、動作制御要素のアクションの一種と称される。この動作制御要素のアクションは、動作制御要素を選択するための選択アクションを含む。係る選択アクションは、（例えば、後で図７〜図９を参照してより詳細に説明する）画面構成をそれぞれ有するユーザインタフェース画面の選択又は切替え、（例えば、図３及び図４を参照して上述した）動作選択メニューの動作識別要素の選択、項目選択メニューの項目識別要素の選択（例えば、記録測定値の一覧からの測定値の選択）等、様々なアクションを含む。
【００３２】
上述のように、図３及び図４の具体例では、動作識別要素を選択する際には、変位センサ２０１の変位量の変化に応じて、動作選択メニューＯＳＭ内の各動作識別要素（例えば、動作識別要素３１２〜３１３から）間で、選択インジケータ３３０を移動してもよい。選択インジケータ３３０の移動は一般的に、（例えば、選択インジケータ３３０に対応する）ユーザインタフェースフォーカスを複数の動作制御要素（例えば、動作識別要素３１１〜３１５）間で移動させるユーザインタフェースナビゲーションアクションの一種と捉えられることを理解されたい。後で図５を参照してより詳細に説明するが、ユーザインタフェース２５０は、選択実行要素（例えば、ボタン２０５）をさらに有する。当該選択実行要素は、ユーザによって操作されると、選択アクションによって選択される動作制御要素に関係付けられた各動作を実行させる。
【００３３】
図５は、図４の小型測定機器２００を示す図である。同図において、ユーザインタフェース２５０は、選択された動作識別要素３１３が続いて起動された状態を表示する。動作識別要素３１３が選択インジケータ３３０（図４参照）内にある間に、ユーザが、（ボタンアクションインジケータ３０６に対応する「確定」アクションを実行する）ボタン２０５を押下することによって、（「保持可能」動作用の）動作識別要素３１３が起動される。図５に示すように、ユーザインタフェース２５０は、ユーザインタフェース画面２５３を有する。当該ユーザインタフェース画面２５３は、レベルインジケータ３１０と、動作インジケータ３１０ａと、表示測定値ＤＭＶ−Ｈと、測定単位インジケータ２０６ａ１と、ボタンアクションインジケータ５０６及び５０８と、長押しボタンインジケータ５０９とを有する。
【００３４】
レベルインジケータ３１０は、「レベル２」（例えば、「レベル２」は、図３及び図４の「レベル１」のメニューツリーから選択された動作識別要素を起動することで表示される、第２段階のメニューツリーに相当する）を示す。レベルインジケータ３１０には、動作インジケータ３１０ａが併せて表示される。当該動作インジケータ３１０ａは、（図４で選択された動作識別要素３１３に対応する）「保持可能」動作が起動中であることを示す。後でより詳細に説明するが、測定機器２００が保持可能動作を実行中、ユーザは、スケール２０１ｂに対して読取ヘッド２０１ａを動かして測定対象物の寸法を測定する（すなわち、図２を参照して上述した動作と同様）だけでなく、ボタン２０５を押下して「保持」機能を実行することができる。
【００３５】
図５に示すように、ボタンアクションインジケータ５０６は「保持」アクションに対応し、ボタンアクションインジケータ５０８は「戻る」アクションに対応する。ユーザは、ボタン２０５を（例えば、１秒以下）押下して、ボタンアクションインジケータ５０６が示す保持機能を起動させる。これによって、一例示的な実施形態では、表示測定値ＤＶＭ−Ｈ（すなわち、図５に示す現在の状態での１．８３０５インチ（約４．６４９ｃｍ））がユーザインタフェース２５０上で「固定」又は別の方法で記憶され、読取ヘッド２０１ａがスケール２０１ｂに対してさらに移動しても変化しない。係る保持機能は、公知技術のように様々な目的で利用される。図５の表示測定値ＤＭＶ−Ｈ（すなわち、１．８３０５インチ（約４．６４９ｃｍ））は、読取ヘッド２０１ａの移動の変位量ＤＩＳＰＡ−Ｂに対応する図２の表示測定値ＤＭＶ（すなわち、１．５０２５インチ（約３．８１６ｃｍ））とは別のものであることを理解されたい。表示測定値ＤＭＶ−Ｈは、位置Ｂにおいて、一対のジョウ２１７及び２１８の測定面（又は一対のジョウ２１７'及び２１８'の測定面）による測定結果として得られた長さ寸法が現在１．８３０５インチ（約４．６４９ｃｍ）であることを示す。上述のように、図５の状態では、読取ヘッド２０１ａはスケール２０１ｂに対してさらに移動し、これに伴い、測定値が表示測定値ＤＭＶ−Ｈまで変化する。その後、（例えば、ボタンアクションインジケータ５０６に対応する）保持機能が起動される。
【００３６】
ボタンアクションインジケータ５０８（長押しボタンインジケータ５０９が併せて表示される）は、ユーザがボタン２０５を長押し操作（例えば、１秒より長い）することで、「戻る」アクションを起動する（例えば、これによって、図４のメニューツリー「レベル１」等の１つ前の状態に戻る）ことができることを示す。種々の実装形態では、「戻る」機能によって、現状のスケール２０１ｂに対する読取ヘッド２０１ａの移動とは無関係に、１つ前のユーザインタフェース画面又は１つ前の状態に戻ることができる。換言すると、図５の具体例では、読取ヘッド２０１ａがさらに移動することでジョウ２１８'が位置Ｂから移動して変位量ＤＩＳＰＡ−Ｂが変化したとしても、「戻る」アクションの機能によって、１つ前の状態（例えば、図４の状態）に戻ることができる。種々の実装形態では、係る動作によって、新たなＭＴＥ位置を効果的に設定することができる。この新たなＭＴＥ位置は、「戻る」アクションが完了したときのジョウ２１８'の現在位置に対応する。これについては、後で図９を参照してより詳細に説明する。
【００３７】
図６は、測定機器６００の各機能部を示すブロック図である。図６の機能部のいずれか又は全ては、本明細書に記載される測定機器（例えば、測定機器２００及び１０００）の機能部を代表することを理解されたい。図６に示すように、測定機器６００は、変位センサ６０１と、信号処理／制御部６０２と、電源６０３と、ディスプレイ６０４と、ユーザインタフェース機能６７０とを有する。また、測定機器６００は、任意選択的に、外部データインタフェース６０８を有してもよい。当該外部データインタフェース６０８は、信号処理／制御部６０２と接続して外部コンピュータ又はデバイス（図示せず）と制御信号及び／又は測定データを送受信するのに用いられる。信号処理／制御部６０２は、メモリ６１０と、プロセッサ６１１と、測定モード６４１（例えば、第１のユーザインタフェースモードに対応する）と、測定モード処理部６４３と、動作制御モード６４２（例えば、第２のユーザインタフェースモードに対応する）と、動作制御モード処理部６４４と、動作制御モード変位処理部６４５とを有する。ユーザインタフェース機能６７０は、測定値ディスプレイ６７１と、動作制御要素ディスプレイ６７２と、選択実行要素６７３と、モード選択要素６７４と、原点設定要素６７５とを有する。
【００３８】
種々の実装形態では、変位センサ６０１は、角測定値トランスデューサや直線測定値トランスデューサ等を含む任意の好都合な寸法測定値トランスデューサとしてもよい。測定機器６００が携帯可能な低電力小型測定機器である場合、静電容量又は誘導トランスデューサを用いることが有利である。これは、例えば、特許文献５〜特許文献１１に開示されている。また、種々の実装形態では、変位センサ６０１が、絶対値を測定するタイプのトランスデューサを有してもよい。これは、例えば、特許文献７及び特許文献１２に開示されている。
【００３９】
種々の実装形態では、信号処理／制御部６０２は、メモリ６１０及びプロセッサ６１１を有する。当該メモリ６１０及びプロセッサ６１１は、信号処理／制御部６０２からの種々の指示を記憶及び実行する機能を有する。メモリ６１０は、後で使用するときのためにデータを記憶したり、書き込んだりすることができる任意のデバイスとすればよい。後で使用するときとは、いくつかの実装形態では、メモリ６１０に電力が供給されなくなったときも含む。上記任意のデバイスは、限定はしないが、取り外し可能及び取り外し不可能なデバイスを含む従来のハードドライブデバイス、ＲＡＭ、ＲＯＭ、任意の固体デバイス等としてもよい。メモリ６１０は、プロセッサ６１１上で実行することができるコンピュータで読み取り可能な指示を記憶するようにさらに構成される。メモリ６１０に記憶されたコンピュータで読み取り可能な指示は、プロセッサ６１１によって実行されると、信号処理／制御部６０２を参照して本明細書に記載する種々の機能を実行するが、これらの機能に限定されない。
【００４０】
種々の実装形態では、電源６０３は、太陽電池や小型の１．５又は３Ｖ電池等としてもよい。信号処理／制御部６０２及び電源６０３のために使用可能な構成要素を含め、各測定機器で利用可能な様々な構成要素の設計及び動作に関する詳細な説明が、本明細書に援用される引用文献に記載されている。種々の実装形態では、ディスプレイ６０４は、種々の技術を利用して作製することができる。例えば、一実装形態では、ディスプレイ６０４は、表示される動作制御要素（例えば、図３〜図５の動作識別要素３１１〜３１５）を構成するように制御されるアドレス指定可能な画素配列を有してもよい。別の例として、後で図１０及び図１１を参照してより詳細に説明するが、液晶ディスプレイは、表示される動作制御要素を構成するように予め作成されて固定された動作制御要素パターンのセットを有してもよい。一般的に、所望の動作特性を有する、現在公知の又は将来開発されるタイプのディスプレイを用いることができる。これらの構成要素及び後述する付加的な構成要素はそれぞれ、１つ又は複数のデータ／制御バス及び／又はアプリケーションプログラミングインタフェースによって、又は構成要素同士の直接的な接続によって、相互に接続され得ることを理解されたい。
【００４１】
種々の実装形態では、測定モード６４１は、第１のユーザインタフェースモードに対応する。この第１のユーザインタフェースモードにおいて、（例えば、図２を参照して上述した）変位センサの変位量の変化に応じた変位測定値が表示される。測定モード処理部６４３は、変位センサ６０１から変位値を受信し、処理して表示する。測定モード処理部６４３はまた、いくつかのユーザインタフェース機能を実装し且つ／又はこれらに関係付けられる。これについては、ユーザインタフェース機能６７０に関して後でより詳細に説明する。種々の実装形態では、動作制御モード６４２は、第２のユーザインタフェースモードに対応する。この第２のユーザインタフェースモードにおいて、動作制御要素は、ユーザインタフェースに表示される。変位センサの変位量の変化に応じて、ユーザインタフェース上で表示される動作制御要素のアクションが実行される（例えば、これについては、図３〜図５を参照して上述しているが、後で図７〜図１１を参照してより詳細に説明する）。動作制御モード処理部６４４は、測定機器の種々のメニュー機能及び動作制御を実行及びナビゲートする役割を担う。また、動作制御モード処理部６４４は、いくつかのユーザインタフェース機能を実装し且つ／又はこれに関係付けられることもできる。これについては、ユーザインタフェース機能６７０に関して後でより詳細に説明する。動作制御モード変位処理部６４５は、所定の変位量（例えば、ＤＩＳＰＡ−Ｂ）を基準に変位センサ６０１の変位を監視する役割を担う。この変位量は、種々の機能（例えば、選択インジケータ３３０の移動）を制御するために用いられる。
【００４２】
種々のユーザインタフェース機能６７０は、信号処理／制御部６０２の種々の構成要素から独立して且つ／又はこれらの一部として若しくはこれらに関係付けられて制御される。種々の実装形態では、測定値ディスプレイ６７１は、測定モード６４１に関係付けられ、測定値（例えば、図２の表示測定値ＤＭＶ）をディスプレイに提示する。種々の実装形態では、動作制御要素ディスプレイ６７２は、動作制御モード６４２に関係付けられ、動作制御要素（例えば、図３及び図４の動作識別要素３１１〜３１５）をディスプレイに提示する。また、選択実行要素６７３は、動作制御モード６４２に関係付けられる。この選択実行要素６７３は、ユーザが操作可能な選択実行要素に、選択された動作に関係付けられた各動作を実行させる（例えば、図４のボタン２０５の押下によって選択された動作識別要素３１３に関係付けられた各動作を実行させる）。
【００４３】
モード選択要素６７４は、ユーザが手動で操作可能な構成要素に、測定モード６４１及び動作制御モード６４２間の切り替えを行わせる（例えば、図２及び図３のボタン２０５及び２０６の操作によって、第１のユーザインタフェースモード及び第２のユーザインタフェースモードを切り替える）。種々の実装形態では、選択実行要素６７３及びモード選択要素６７４は、ボタン２０５及び２０６に加えて、選択アクションのために他のタイプの機構（例えば、加速度計を備える振動センサや、ディスプレイ上のカーソル、ポインタ又は他のユーザ制御式要素用のホバータイマー等）を用いてもよい。原点設定要素６７５は、変位センサの現在位置を測定用の原点（例えば、ゼロの値）として設定する要素である（これについては、例えば、図２のボタン２０６によって動作されるボタンアクションインジケータ２０６ｂを例に挙げて上述した）。
【００４４】
図７は、図２の小型測定機器２００を示す図である。ディスプレイ２０４が、第２の例示的な実施形態に係る第２のユーザインタフェースモード７４２を表示している。図７に示すように、ユーザインタフェース画面２５４は、動作識別要素７１１〜７１５のセットを有する。この動作識別要素７１１〜７１５のセットは、図３の動作識別要素３１１〜３１５と同様としてもよい。図３の実装形態とは対照的に、図７では、ユーザインタフェース画面２５４は主に動作識別要素７１２に対応する。当該動作識別要素７１２は、中央のユーザインタフェースフォーカス（すなわち、ユーザインタフェース画面２５４の中央）に位置する。他方、様々なユーザインタフェース画面に対応する残りの動作識別要素７１１及び７１３〜７１５は、端に表示される。後で図８を参照してより詳細に説明するが、この構成では、変位センサ２０１の変位（例えば、スケール２０１ｂに対する読取ヘッド２０１ａの変位）によって、それぞれの画面構成を有するユーザインタフェース画面が互いに切り替えられる（ここで、例えば、当該複数の画面構成はそれぞれ、各動作識別要素７１１〜７１５が中央のユーザインタフェースフォーカスに位置する場合に対応する）。
【００４５】
スケール２０１ｂに対する読取ヘッド２０１ａの移動方向（directional movement）に関して、ユーザインタフェース画面２５４は、方向インジケータ列７１９Ａ及び７１９Ｂに矢印記号を含む。方向インジケータ列７１９Ａ及び７１９Ｂはそれぞれ、対応の動作識別要素列７１８Ａ及び７１８Ｂと隣接する。一実装形態では、左側の識別要素列７１８Ａに表示される各動作識別要素が通常、読取ヘッド２０１ａが左方向へ移動すると切り替わる。これを、方向インジケータ列７１９Ａ内の矢印記号によって示す。一具体例として、動作識別要素７１１は、識別要素列７１８Ａ内に表示され、方向インジケータ列７１９Ａ内に左方向矢印記号が付される。これによって、（例えば、「演算測定値」に対応する）動作識別要素７１１のユーザインタフェース画面が、読取ヘッド２０１ａの（図３及び図４を参照して上述した）一「表示変更増分」の左方向の移動によって切り替わることが示される。一方、右側の動作識別要素列７１８Ｂは、動作識別要素７１３〜７１５を含み、方向インジケータ列７１９Ｂ内にこれらの動作識別要素に対応する矢印インジケータが付される。これによって、動作識別要素７１３〜７１５のそれぞれのユーザインタフェース画面が、読取ヘッド２０１ａの右方向の移動によって切り替わることが示される。特に、各動作識別要素７１３〜７１５に対応するユーザインタフェース画面は、読取ヘッド２０１ａが表示変更増分ずつ右方向に移動することによって、動作識別要素列７１８Ｂ内の識別要素の一覧を上から下へ移動しながら順次切り替わる。これについては、後で図８を参照してより詳細に説明する。図７に示すように、ユーザインタフェース画面２５４の各画面構成はまた、レベルインジケータ７３０を含む。当該レベルインジケータ７３０は、現在のユーザインタフェース画面２５４が動作識別要素７１２の「レベル１」（これは「測定記録」に対応する）にあることを示す。
【００４６】
図８は、図７の小型測定機器２００を示す図である。同図では、読取ヘッド２０１ａがさらに移動した結果、ユーザインタフェース画面がスクロールされ、動作識別要素７１３に対応するユーザインタフェース画面２５５が表示されている。動作識別要素３１１〜３１５が（例えば、「ツリービュー」と呼ばれる）動作選択メニューに提示される図３の第２のユーザインタフェースモード２４２と比較して、図７及び図８の第２のユーザインタフェースモード７４２では、ユーザインタフェース画面全体が左右にスクロールし、次の動作識別要素７１１〜７１５に対応するユーザインタフェース画面に移行することを理解されたい。より具体的には、図８に示すように、ジョウ２１８'が位置ＡにあるＭＴＥ位置から位置Ｂへ移動すると、読取ヘッド２０１ａは右方向に移動する。これを変位ＤＩＳＰＡ−Ｂで示す。ユーザインタフェース画面２５５の各画面構成では、（「保持可能」動作に対応する）動作識別要素７１３が、中央のユーザインタフェースフォーカスに位置する。動作識別要素７１１及び７１２は、左側の動作識別要素列７１８Ａ内に表示される（すなわち、各動作識別要素の対応のユーザインタフェース画面が、読取ヘッド２０１ａが表示変更増分だけ左方向に移動することによって切り替わることが示される）。他方、動作識別要素７１４及び７１５は、右側の動作識別要素列７１８Ｂ内に表示される（すなわち、各動作識別要素の対応のユーザインタフェース画面が、読取ヘッド２０１ａの表示変更増分が右方向だけ移動することによって切り替わることが示される）。（「保持可能」動作に対応する）動作識別要素７１３に関して、一実装形態では、（上述した図４のユーザインタフェース画面２５２から図５のユーザインタフェース画面２５３へ切り替える動作と同様に）ユーザは、（ボタンアクションインジケータ３０６に対応する）選択アクションとしてボタン２０５を押下し、図５のユーザインタフェース画面２５３に切り替える。
【００４７】
図９は、図８の測定機器を示す図である。同図では、測定機器がさらに操作されて読取ヘッド２０１ａが移動した結果、ユーザインタフェース画面がスクロールされ、動作識別要素７１５に対応するユーザインタフェース画面２５６が表示されている。ここでは、付加的な動作メニュー７１５ｍが表示されている。図８の状態から数々のステップを経て、図９に例示する現在の状態（読取ヘッド２０１ａの位置を含む）となった。より具体的には、まず、図８の状態から、ユーザがボタン２０５を押下（すなわち、「確定」機能を実行するためのボタンアクションインジケータ３０６に対応する）すると、図５のユーザインタフェース画面２５３が表示される。次いで、図５の状態において、ユーザが「保持可能」モードを用いて、読取ヘッド２０１ａを移動させる。その結果、ジョウ２１８'が位置Ｃに移動する。図５の状態から、さらに、ユーザがボタン２０５を長押し（すなわち、「戻る」機能を実行するためのボタンアクションインジケータ３０８に対応する）する。この一連の動作によって、新たなＭＴＥ位置（ＭＴＥ位置'）がジョウ２１８'の位置Ｃに設定される。換言すると、特定の本実装形態では、「戻る」機能（すなわち、ボタンアクションインジケータ３０８に対応する）を実行すると、新たなＭＴＥ位置（例えば、図９の位置Ｃ）が、読取ヘッド２０１ａの現在位置に従って設定される。このようにして、ユーザは、「戻る」機能によって、読取ヘッド２０１ａの現在位置とは無関係に、１つ前のユーザインタフェース画面に戻ることができる。これに関連する一態様として、種々の実装形態では、第２のユーザインタフェースモードは、以下のように構成されてもよい。すなわち、第２のユーザインタフェースモードは、第１のユーザインタフェースモードから第２のユーザインタフェースモードに切り替えられたときに表示される第１のユーザインタフェース画面（例えば、ユーザインタフェース画面２５４）と、変位センサのさらなる変位に呼応した第１のユーザインタフェース画面の挙動とが、変位センサ２０１の測定範囲内の少なくとも大半の位置であれば、第１のユーザインタフェースモードから第２のユーザインタフェースモードに切り換わったときの変位センサ２０１の位置に影響を受けないように構成されてもよい。
【００４８】
図９を参照すると、位置Ｃから位置Ｄへのジョウ２１８'の移動に伴って読取ヘッド２０１ａがさらに移動した結果、ユーザインタフェース画面２５６がこれに対応してスクロールされ、中央のユーザインタフェースフォーカスが、（「設定」動作に対応する）動作識別要素７１５となっている。より具体的には、図９に示すように、読取ヘッド２０１ａは、ジョウ２１８'の位置ＣのＭＴＥ位置（ＭＴＥ位置'）から位置Ｄへの移動に伴って右方向に移動している。これを変位ＤＩＳＰＣ−Ｄによって示す。図９に示すように、一実装形態では、動作メニュー７１５ｍには、従属の動作識別要素７１５ａ〜７１５ｃが予め表示される。当該従属の動作識別要素７１５ａ〜７１５ｃは、ユーザがボタン２０５を押下（すなわち、「確定」アクション用のボタンアクションインジケータ３０６に対応する）することによって動作識別要素７１５が起動されたときに利用可能となるものである。より具体的には、従属の動作識別要素７１５ａは、「画面追加」動作に対応する。また、従属の動作識別要素７１５ｂは、「分割（fraction）表示」動作に対応する。さらに、従属の動作識別要素７１５ｃは、「較正／ＩＤ」動作に対応する。
【００４９】
ユーザインタフェース画面２５６では、動作識別要素７１１〜７１４は、左側の動作識別要素列７１８Ａ内に表示される。したがって、方向インジケータ列７１９Ａ内の矢印インジケータによって、各動作識別要素用のユーザインタフェース画面が、読取ヘッド２０１ａの表示変更増分の左方向の移動によってスクロールされることが示される。一実装形態では、動作識別要素７１５が起動されると、続いて、従属の動作識別要素７１５ａ〜７１５ｃも、変位センサ２０１の変位の変化に応じてスクロールされる。より一般的には、それぞれ表示されるユーザインタフェース画面に関係付けられ、実行される動作は、以下の動作を含んでもよい。すなわち、変位センサの変位量がさらに変化すると、表示中のユーザインタフェース画面より機能的に下位である従属の動作制御要素に割り当てられた動作制御要素のアクションを変更させ（affect）てもよい。
【００５０】
図１０は、ディスプレイ１００４を備える測定機器１０００を示す図である。ディスプレイ１００４が、第３の例示的な実施形態に係る第２のユーザインタフェースモード１０４２を表示している。測定機器１０００の一部の構成要素は、図２の測定機器２００と同様であり、以下で別途記載がない限り、同様に動作するものと解釈されることを理解されたい。図１０の例では、ディスプレイ１００４は、従来の液晶ディスプレイとする。当該液晶ディスプレイは、ユーザインタフェース画面２５７に表示される動作制御要素（例えば、各動作識別要素）１０１２〜１０１４のセットを構成するように予め作成されて固定された動作制御要素パターンのセットを有する。種々の実装形態では、他の表示要素（例えば、ボタンアクションインジケータ３０６及び３０８）を、予め作成されたパターンから構成することもできる。一実装形態では、ディスプレイ１００４は、タッチセンサ式でなくてもよい。種々の実装形態では、表示測定値ＤＭＶの一部として表示される英数字がそれぞれ、少なくとも７本の線分を有する。図１０から分かるように、これらの線分の全て又は一部を用いて各数字を表現する。また、小数点を表示可能なスペースが複数設けられている。種々の実装形態では、表示測定値ＤＭＶは、第１のユーザインタフェースモード中も、第２のユーザインタフェースモード中も表示される。
【００５１】
図３を参照して上述した動作識別要素３１２〜３１４と同様に、第２のユーザインタフェースモード１０４２では、動作識別要素１０１２は、「測定記録」動作に対応する。また、動作識別要素１０１３は、「保持可能」動作に対応する。さらに、動作識別要素１０１４は、「無線入出力」動作に対応する。図１０に示すように、ユーザがボタン２０５を押下して、（測定を実行する）第１のユーザインタフェースモードから（例えば、操作を制御する）第２のユーザインタフェースモードへ切り替えると、選択インジケータ１０３０が表示されて動作識別要素１０１２〜１０１４のうちの１つを選択表示する（indicate）。なお、第２のユーザインタフェースモードの開始時には、ジョウ２１８'は、読取ヘッド２０１ａのＭＴＥ位置に対応する位置Ｅに位置する。図１０の例では、選択インジケータ１０３０はまず、動作識別要素１０１２を示す位置に表示されている。種々の実装形態では、（例えば、動作識別要素３１１及び３１５に対応する）付加的な複数の動作識別要素をさらに表示することができるが、図１０では、簡略化のために動作識別要素１０１２〜１０１４のみを表示している。
【００５２】
図１１は、図１０の小型測定機器を示す図である。同図では、読取ヘッド２０１ａがさらに移動した結果、選択インジケータ１０３０がその次の動作識別要素１０１３に移動している。図１１に示すように、読取ヘッド２０１ａが、変位ＤＩＳＰＥ−Ｆ分の距離だけ移動している。これを、（ＭＴＥ位置に対応する）初期位置Ｅから位置Ｆへのジョウ２１８'の移動によって示す。変位センサ２０１のこの変位（すなわち、スケール２０１ｂに対する読取ヘッド２０１ａの移動）が、信号処理／制御部（例えば、図６に示す）によって検出される。当該信号処理／制御部は、選択インジケータ１０３０をさらに移動させ、当該選択インジケータ１０３０によって（「保持」動作に対応する）動作識別要素１０１３が選択表示される。
【００５３】
図１１の例では、図１０の表示測定値ＤＭＶ（すなわち、２．１２００インチ（約５．３８５ｃｍ））に代えて、表示測定値ＤＭＶ（すなわち、２．３２２５インチ（約５．８９９ｃｍ））を示す。読取ヘッド２０１ａ及びこれに付随するジョウ２１８'が位置Ｅから位置Ｆへ移動することで、このように測定値が変化している。換言すると、一実装形態では、表示測定値ＤＭＶは、第２のユーザインタフェースモード中表示されたままである。しかし、表示測定値ＤＭＶは、上述のように、読取ヘッド２０１ａの移動によって選択インジケータ１０３０を移動させて対応の動作識別要素を選択する第２のユーザインタフェースモードに影響を及ぼさないようにすることができる。上述の動作と同様に、動作制御要素（例えば、各動作識別要素１０１２〜１０１４のうちの１つ）が選択インジケータ１０３０によって選択表示されたとき、ユーザは、（例えば、ボタンアクションインジケータ３０６に対応する）ボタン２０５を押下することができる。このボタン２０５は、選択された動作制御要素に関係付けられた各動作を実行するための選択実行要素として機能する。各動作識別要素１０１２〜１０１４に対して、図３〜図９を参照して上述したものと同様のサブモードを適用し、これらのサブモードを選択実行要素によって起動してもよい。ただし、いくつかの実装形態では、液晶ディスプレイ１００４に固定表示されるアイコンに使用可能なスペースがさらに限定されるため、ユーザインタフェース内のこれらに対応する要素については、サブモードを比較的単純なものとしてもよい。
【００５４】
本開示の好適な実施形態を例示及び説明したが、例示及び説明した特徴の配置及び一連の動作に関して、多数の変形が本開示に基づいて当業者には明白であろう。種々の代替形状及び形態を用いて本明細書に開示される原理を実施することができる。さらに、上記各実施形態を組み合わせて、さらに別の実施形態を提供することができる。本明細書に記載した全ての特許文献の開示を参照することにより、本発明の一部を構成する。必要に応じて、各特許文献の構想を採用して本実施形態の各態様を変更することができる。これにより、さらに別の実施形態を提供することができる。
【００５５】
上記説明に照らして本実施形態を多様に変更することが可能である。一般に、特許請求の範囲において使用する語句は、特許請求の範囲を、明細書及び特許請求の範囲に開示される具体的な実施形態に限定するものであると解釈されるべきでない。むしろ、考え得る全ての実施形態に加えて、特許請求の範囲の均等物の全範囲をも含むと解釈されるべきである。
【符号の説明】
【００５６】
２０１…変位センサ
２０４（１００４）…ディスプレイ
６０２…信号処理／制御部
２５０…ユーザインタフェース
２００（１０００）…測定機器
【図１】
0006628558.tif 000002
【図２】
0006628558.tif 000003
【図３】
0006628558.tif 000004
【図４】
0006628558.tif 000005
【図５】
0006628558.tif 000006
【図６】
0006628558.tif 000007
【図７】
0006628558.tif 000008
【図８】
0006628558.tif 000009
【図９】
0006628558.tif 000010
【図１０】
0006628558.tif 000011
【図１１】
0006628558.tif 000012